(57)【要約】【課題】扉体での指挟みを防止するとともに、デザイン性に優れたドラム式洗濯機を提供する。【解決手段】取手部７００を有し衣類投入口２１５を開閉する扉体３００と、扉体３００の外周近傍の筐体２００に形成された投入口枠部２０１とを備え、扉体３００は、扉体３００の外周より内側に開閉軸４００が構成されるとともに、開閉軸４００の近傍の扉体３００の外周に、扉体３００の外周より突出した凸部３０１を有し、投入口枠部２０１には、凸部３０１に干渉しないように形成された凹部２０２を有することにより、扉体３００と投入口枠部２０１との干渉が回避できるため、投入口枠部２０１をすり鉢形状とするなどして扉体３００の外周と投入口枠部２０１との間に大きな隙間部を設ける必要がなくなり、デザイン性が向上する。【選択図】図３
2015043800.tif 000002
【特許請求の範囲】
【請求項１】
有底円筒状に形成されて衣類等の洗濯物を収容する回転ドラムと、前記回転ドラムを回転自在に内包する水槽と、前記回転ドラムを回転駆動するモータと、前記水槽を揺動自在に弾性支持する筐体と、前記筐体に形成された衣類投入口と、取手部を有し前記衣類投入口を開閉する扉体と、前記扉体の外周近傍の前記筐体に形成された投入口枠部とを備え、前記扉体は、扉体外周より内側に開閉軸が構成されるとともに、前記開閉軸の近傍の前記扉体外周に、前記扉体外周より突出した凸部を有し、前記投入口枠部は、前記凸部に干渉しないように形成された凹部を有することを特徴とするドラム式洗濯機。
【請求項２】
前記凸部と前記投入口枠部との質感を合わせるように構成された請求項１に記載のドラム式洗濯機。
【請求項３】
前記投入口枠部の前記凹部の奥行き方向の形状は、前記扉体の前記凸部の回動軌跡に沿った形状とされた請求項１または２に記載のドラム式洗濯機。
【発明の詳細な説明】
【技術分野】
【０００１】
本発明は、衣類等の洗濯物を出し入れするための開閉自在な扉体を備えるドラム式洗濯機に関するものである。
【背景技術】
【０００２】
従来、この種のドラム式洗濯機は図５、図６に示すように構成されていた（例えば、特許文献１参照）。図５は従来のドラム式洗濯機の縦断面図であり、図６は同ドラム式洗濯機の扉体が開放状態の外形斜視図である。以下、その構成について説明される。
【０００３】
衣類等の洗濯物が収容される回転ドラム１１２０は、有底円筒形に形成され、水槽１１１０内に回転自在に配設されている。回転ドラム１１２０の回転中心に傾斜方向に回転軸７４０が設けられ、回転ドラム１１２０の軸心方向を正面側から背面側に向けて下向きに傾斜させて配設されている。筐体２０００の正面側（図５において左側）の上向き傾斜面に設けられた衣類投入口２１５０は、扉体３０００により開閉自在に覆われている。使用者は、この扉体３０００を開くことにより衣類投入口２１５０を通して回転ドラム１１２０内に洗濯物を出し入れできる。
【０００４】
扉体３０００は、扉体３０００を軸支する蝶番構造４０００により、筐体２０００と回動可能に接続されている。扉体３０００は、取手部７０００を持って操作されることにより、衣類投入口２１５０を覆う閉塞位置と、開放する開放位置との間で回動する。蝶番構造４０００は、扉体３０００の外周より内側に構成されている。扉体３０００の周囲近傍の筐体２０００には投入口枠部２０１０が形成されている。投入口枠部２０１０は、扉体３０００が開放された時に、蝶番構造４０００近傍の扉体３０００の外周が干渉しないように、扉体３０００の側面の対向部分２０３０がすり鉢形状や傾斜形状とされ、扉体３０００と投入口枠部２０１０との間に、例えば最大２５ｍｍ程度の大きな隙間部ｄが設けられている。しかも、デザイン性の向上を図るために扉体３０００近傍が同心円で構成されるようにして、扉体３０００の周囲全体に均等に大きな隙間部ｄが設けられている。
【先行技術文献】
【特許文献】
【０００５】
【特許文献１】特開２０１３−１０３０５５号公報
【発明の概要】
【発明が解決しようとする課題】
【０００６】
このような従来の構成では、扉体の外周と投入口枠部との間に大きな隙間部があるためにデザイン性が必ずしも良くないという課題があった。
【０００７】
本発明は、以上の課題に鑑みて為されたものであり、デザイン性に優れたドラム式洗濯機を提供することを目的としている。
【課題を解決するための手段】
【０００８】
前記従来の課題を解決するために、本発明のドラム式洗濯機は、有底円筒状に形成されて衣類等の洗濯物を収容する回転ドラムと、前記回転ドラムを回転自在に内包する水槽と、前記回転ドラムを回転駆動するモータと、前記水槽を揺動自在に弾性支持する筐体と、前記筐体に形成された衣類投入口と、取手部を有し前記衣類投入口を開閉する扉体と、前記扉体の外周近傍の前記筐体に形成された投入口枠部とを備え、前記扉体は、扉体外周より内側に開閉軸が構成されるとともに、前記開閉軸の近傍の前記扉体外周に、前記扉体外
周より突出した凸部を有し、前記投入口枠部は、前記凸部に干渉しないように形成された凹部を有するものである。
【０００９】
これにより、扉体が開閉した場合、投入口枠部に設けられた凹部により、扉体と投入口枠部との干渉が回避できるため、投入口枠部をすり鉢形状とするなどして扉体の外周と投入口枠体との間に大きな隙間部を設ける必要がなくなり、デザイン性に優れたドラム式洗濯機の設計が可能となる。
【発明の効果】
【００１０】
本発明の扉体と投入口枠部を備えたドラム式洗濯機の構成によれば、扉体外周と投入口枠部との間に大きな隙間部を設ける必要がなくなり、デザイン性に優れたドラム式洗濯機を提供することが可能となる。
【図面の簡単な説明】
【００１１】
【図１】本発明の実施の形態１におけるドラム式洗濯機の縦断面図
【図２】同ドラム式洗濯機の扉体が開放状態の外形斜視図
【図３】同ドラム式洗濯機の扉体が閉塞状態の部分正面図
【図４】同ドラム式洗濯機の扉体が開放状態の開閉軸近傍の横断面図
【図５】従来のドラム式洗濯機の縦断面図
【図６】同ドラム式洗濯機の扉体が開放状態の外形斜視図
【発明を実施するための形態】
【００１２】
第１の発明は、有底円筒状に形成されて衣類等の洗濯物を収容する回転ドラムと、前記回転ドラムを回転自在に内包する水槽と、前記回転ドラムを回転駆動するモータと、前記水槽を揺動自在に弾性支持する筐体と、前記筐体に形成された衣類投入口と、取手部を有し前記衣類投入口を開閉する扉体と、前記扉体の外周近傍の前記筐体に形成された投入口枠部とを備え、前記扉体は、扉体外周より内側に開閉軸が構成されるとともに、前記開閉軸の近傍の前記扉体外周に、前記扉体外周より突出した凸部を有し、前記投入口枠部は、前記凸部に干渉しないように形成された凹部を有するものである。
【００１３】
これにより、扉体が開閉した場合に、投入口枠部に設けられた凹部により、扉体と投入口枠部との干渉が回避できるため、投入口枠部をすり鉢形状とするなどして扉体外周と投入口枠部との間に大きな隙間部を設ける必要がなくなり、デザイン性に優れたドラム式洗濯機の設計が可能になる。
【００１４】
第２の発明は、第１の発明において、前記凸部と前記投入口枠部との質感を合わせるように構成されたものである。これにより、扉体と投入口枠部とはデザイン的に一体感を有し、優れたデザイン性とすることができる。
【００１５】
第３の発明は、第１または２の発明において、前記投入口枠部の前記凹部の奥行き方向の形状は、前記扉体の前記凸部の回動軌跡に沿った形状とされたものである。これにより、扉体が開閉した場合、扉体と投入口枠部との間の隙間が広がるのを防止でき、指が入らない程度の狭い隙間を維持できるため、指を挟むことを防止することができる。
【００１６】
以下、本発明の実施の形態について、図面を参照しながら説明する。また、この実施の形態によって本発明が限定されるものではない。
【００１７】
（実施の形態１）
図１は本発明の実施の形態１におけるドラム式洗濯機の縦断面図である。図２は同ドラム式洗濯機の扉体が開放状態の外形斜視図、図３は同ドラム式洗濯機の扉体が閉塞状態の
部分正面図である。図４は同ドラム式洗濯機の扉体が開放状態の開閉軸近傍の横断面図であり、図３のＡ−Ａ断面位置に該当する。
【００１８】
図１と図２において、衣類等の洗濯物を収容する回転ドラム１１２は、有底円筒形に形成されて円筒部の全面に多数の通水孔７２を有し、水槽１１１内に回転自在に配設されている。回転ドラム１１２の回転中心に傾斜方向に回転軸（回転中心軸）７４が設けられ、回転ドラム１１２の軸心方向を正面側から背面側に向けて下向きに傾斜させて配設されている。この回転軸７４に水槽１１１の背面に取り付けられたモータ１１３が連結され、モータ１１３は回転ドラム１１２を正転方向または逆転方向に回転駆動する。また、回転ドラム１１２の内壁面に衣類撹拌用の複数の突起板７６が設けられている。そして、筐体２００の正面側の上向き傾斜面に衣類投入口２１５が設けられ、衣類投入口２１５を扉体３００が開閉自在に覆っている。使用者は、この扉体３００を開くことにより衣類投入口２１５を通して回転ドラム１１２内に衣類等の洗濯物を出し入れできる。衣類投入口２１５が上向き傾斜面に設けられているため、使用者は、洗濯物を出し入れする際に腰を大きく屈めることなく行うことができる。
【００１９】
水槽１１１は、ばね体８０による懸架とダンパー８１による支持にて、筐体２００に揺動可能に弾性支持されている。水槽１１１の下部には排水経路１３４の一端が接続され、排水経路１３４の他端が排水弁１３３に接続されており、水槽１１１内の洗濯水は適時に排水される。給水弁８４は、給水管路１２１を通して水槽１１１内に水を給水し、水位検知手段８６は水槽１１１内の水位を検知する。また、筐体２００内の前面下部には、制御装置９６が配設されている。また、水槽１１１の前面部開口側には筒口部１１１ａが形成され、この筒口部１１１ａと筐体２００の衣類投入口２１５の開口端２１５ａとの間に筒状の柔軟なシール部材１１５が嵌合されている。シール部材１１５は、筐体２００と揺動する水槽１１１との隙間を塞ぐとともに、扉体３００が閉塞状態の時に、扉体３００と衣類投入口２１５との間をシールする。
【００２０】
また、筐体２００の前面上部には、操作パネル５００が設けられている。使用者が操作パネル５００上の入力部５０１から運転コースのモードや各種機能を入力すると、操作パネル５００内部に配設された制御回路部５１０が、その入力情報を基に操作パネル５００上の表示部５０２で表示して使用者に知らせる。
【００２１】
なお、本実施の形態では、回転ドラム１１２は、回転ドラム１１２の回転中心に、傾斜方向に回転軸７４を設け、回転ドラム１１２の軸心方向を正面側から背面側に向けて下向きに傾斜させて配設されているが、回転ドラム１１２の回転中心に、水平方向に回転軸７４を設け、回転ドラム１１２の軸心方向を水平方向に配設されてもよい。また、本発明のドラム式洗濯機は、洗濯機能に加えて乾燥機能を有していても良い。
【００２２】
図２〜図４において、扉体３００は、正面から見てほぼ円形状に形成されている。扉体３００は、扉体３００の外周より内側に構成される蝶番構造である開閉軸４００により、筐体２００と回動可能に接続されている。扉体３００の円形状の中心を挟んで開閉軸４００とほぼ反対側には、図示しないロック機構を有する取手部７００が設けられている。使用者は、取手部７００を持って操作することにより、衣類投入口２１５を覆う閉塞位置と、開放する開放位置との間で扉体３００を回動させることができる。
【００２３】
また、筐体２００の衣類投入口２１５の開口端２１５ａを形成し、扉体３００をほぼ同一面に収容する投入口枠部２０１が筐体２００の前面に構成されている。投入口枠部２０１は、筐体２００と一体に成形されていても良いし、別部材として筐体２００に組み込まれるなどの構成でも良い。本実施の形態において、投入口枠部２０１は扉体３００の外周と同心円状に筐体装飾板として別部材が取付けられている。ここで、扉体３００と投入口
枠部２０１とはほぼ同一面に構成されているとともに、扉体３００の外周と投入口枠部２０１との隙間部Ｄは、大人の手の指が入りにくい程度の、例えば３ｍｍ〜１０ｍｍの小さな寸法で構成され、優れたデザイン性を有している。
【００２４】
しかしながら、開閉軸４００が扉体３００の外周より内側に構成されていることから、そのままでは扉体３００を開放した時に、開閉軸４００近傍の扉体３００の外周が投入口枠部２０１に干渉する可能性が高くなる。そのため、投入口枠部２０１に扉体３００の外周と同心円となる円弧状で所定長さの凹部２０２が形成され、干渉を防止している。
【００２５】
そして、開閉軸４００の近傍の扉体３００の外周には、扉体３００の外周より突出し、投入口枠部２０１の凹部２０２の形状に対応して凸部３０１が設けられ、凹部２０２と凸部３０１とは干渉しないように構成されている。さらに、凸部３０１の前面には筐体装飾板としての投入口枠部２０１と同等の色調の扉体装飾板３０２が取り付けられ、投入口枠部２０１との質感を合わせている。このようにして、開閉軸４００近傍の扉体３００の外周が投入口枠部２０１に干渉しないように構成されるとともに、扉体３００および扉体装飾板３０２は筐体装飾板である投入口枠部２０１と同心円で同一面にて形成され、デザイン的に一体感を有し、優れたデザイン性とすることが可能となっている。
【００２６】
なお、扉体３００の凸部３０１と投入口枠部２０１との色調や質感を合わせる方法としては、上記のように凸部３０１に扉体装飾板３０２を取り付けるほか、凸部３０１や扉体３００全体を投入口枠部２０１の材料と同一のものを使用して形成するなどでも良く、限定されるものではない。
【００２７】
以上のように構成されたドラム式洗濯機は、扉体３００が開閉する場合、投入口枠部２０１に設けられた凹部２０２により、扉体３００と投入口枠部２０１との干渉が回避できる。それにより、投入口枠部２０１に扉体３００との干渉防止のための大きな隙間部を設ける必要がなくなりデザイン性が向上する。
【００２８】
また、図４に示されるように、投入口枠部２０１の凹部２０２の奥行き方向の形状は、扉体３００の凸部３０１の回動軌跡に沿った形状とされている。このため、扉体３００が開閉された場合、扉体３００と投入口枠部２０１との間の隙間が広がるのを防止でき、指が入らない程度の狭い隙間を維持できるため、指が挟まれることを防止することができる。
【産業上の利用可能性】
【００２９】
以上のように、本発明にかかるドラム式洗濯機は、扉体と投入口枠部の構成により、扉体の外周と投入口枠体との間に大きな隙間部を設ける必要がなくデザイン性を向上できるため、扉体を持つドラム式洗濯機やドラム式乾燥機等として有用である。
【符号の説明】
【００３０】
１１１  水槽
１１２  回転ドラム
１１３  モータ
２００  筐体
２０１  投入口枠部
２０２  凹部
３００  扉体
３０１  凸部
３０２  扉体装飾板
４００  開閉軸
７００  取手部
【図１】
2015043800.tif 000003
【図２】
2015043800.tif 000004
【図３】
2015043800.tif 000005
【図４】
2015043800.tif 000006
【図５】
2015043800.tif 000007
【図６】
2015043800.tif 000008